(57)【特許請求の範囲】
【請求項１】
水平走査信号の繰り返しで構成された画像における所定の画像領域の境界を表すキー信号を、複数の信号にライン分離してそれぞれ異なる系統のキー信号とし、前記異なる系統のキー信号の各々に対して、前記キー信号が存在する水平走査線と同じ位置にある水平走査線の上あるいは下、もしくは上下の水平走査線に、前記キー信号と同等のキー信号を発生させるプリエッヂ処理と、
前記プリエッヂ処理の後に、前記異なる系統のキー信号の各々に対して独立に同一のエッヂ付加処理を行う
エッヂキー発生方法。
【請求項２】
プログレッシブ映像信号に対するエッヂキー発生方法であって、
２系統のインターレース信号にライン分離されたプログレッシブ映像信号のキー信号に対して、前記キー信号におけるプリエッヂを付加する位置に応じてプリエッヂ処理し、
各々独立に同一のエッヂ付加処理を行い、
前記２系統のインターレース信号を１系統の信号に多重化して、エッヂが付加されたプログレッシブ映像信号のキー信号を得る
請求項１記載のエッヂキー発生方法。
【請求項３】
プリエッヂ処理前のキー信号と、エッヂ付加処理後の異なる系統のキー信号を１系統に多重化したキー信号とを合成する
請求項２記載のエッヂキー発生方法。
【請求項４】
水平走査信号の繰り返しで構成された画像における所定の画像領域の境界を表すキー信号を、複数の信号にライン分離してそれぞれ異なる系統のキー信号とし、前記異なる系統のキー信号の各々に対して、前記キー信号が存在する水平走査線と同じ位置にある水平走査線の上あるいは下、もしくは、上下の水平走査線に、前記キー信号と同等のキー信号を発生させるプリエッヂ処理回路と、
前記プリエッヂ処理回路が出力する異なる系統のキー信号の各々に対して同一のエッヂ付加処理を行う複数のエッヂ発生回路と
を備えるエッヂキー発生装置。
【請求項５】
プログレッシブ映像信号に対するエッヂキー発生装置であって、
２系統のインターレース信号にライン分離されたプログレッシブ映像信号のキー信号の一方の信号と他方の信号に対して、前記キー信号におけるプリエッヂを付加する位置に応じてプリエッヂ処理するプリエッヂ処理回路と、
前記プリエッヂ処理回路でプリエッヂ処理された前記一方の信号にエッヂ付加処理を行う第１のエッヂ発生回路と、
前記プリエッヂ処理回路でプリエッヂ処理された前記他方の信号に前記第１のエッヂ発生回路と同一のエッヂ付加処理を行う第２のエッヂ発生回路と、
前記第１のエッヂ発生回路から出力された信号と前記第２のエッヂ発生回路から出力された信号を１系統の信号に多重化してエッヂが付加されたプログレッシブ映像信号を得るライン多重回路と
を備える請求項４記載のエッヂキー発生装置。
【請求項６】
プリエッヂ処理前のキー信号と、エッヂ付加処理後の異なる系統のキー信号を１系統に多重化したキー信号とを合成する合成回路を備えた
請求項５記載のエッヂキー発生装置。
【発明の詳細な説明】
【０００１】
【発明の属する技術分野】
本発明は、映像信号に文字情報や映像情報をスーパーする場合のキー信号に対して、エッヂを発生するエッヂキー発生方法およびエッヂキー発生装置に関する。
【０００２】
【従来の技術】
映像信号に対する特殊効果処理として、映像や文字をスーパーする場合がある。この場合に、スーパーする映像を切り取る形（範囲）と量（強さ）を与える信号としてキー信号が用いられる。
【０００３】
このキー信号は、例えば、ブルーバックに対して人物などが存在する画像（クロマキーと呼ばれる）の場合、その人物とブルーバックとを区別する信号である。切り取る画像領域（例えば、人物の領域）は「１」とし、ブルーバック領域は「０」とする信号である。このキー信号の切り取る画像領域の周囲に付加するのがエッヂである。
【０００４】
従来のエッヂキー発生装置は図８に示すように構成されている。
図８において、３０はスーパーする映像信号が入力される入力端子、３１はその映像信号（例えば、輝度信号（以下、Ｙ）と色信号（以下、Ｃ）とが時間軸多重されている）をＹとＣに分離するＹ／Ｃ分離回路、３２はＹ／Ｃ分離回路３１で得られるそれぞれの信号の重みにより、キー信号を発生するキー信号発生回路、３２はキー信号のリンギングを除去するフィルタ、３４はフィルタ３２で高調波成分がカットされたキー信号に所望の幅のエッヂを発生（付加）するエッヂ発生回路、３５はエッヂが付加されたキー信号を出力する出力端子である。
【０００５】
キー信号発生回路３２は、例えば、文字スーパーの場合、Ｙのレベルを見てキー信号を生成したり、文字スーパー自体に色がある場合はその色信号を考慮してキー信号を生成する。
【０００６】
エッヂ発生回路３４は図９に示すように構成されている。
この図９は、垂直方向にエッヂを発生させる場合の構成で、簡単化して示したものである。端子３６からフィルタ３３の出力であるキー信号が入力される。キー信号は、１水平走査期間（以下、１Ｈと称す）遅延する１Ｈ遅延回路３７で１Ｈ遅延した信号となる。さらに、１Ｈ遅延回路３８で１Ｈ遅延される。端子３６，１Ｈ遅延回路３７，３８からの３ライン分の信号は、最大値選択器３９へ入力され、その最大振幅レベルを有するものが選択され、端子４０から出力される。
【０００７】
例えば、図１０（ａ）に示すように、映像信号のｎ（ｎは整数）ライン目にキー信号（斜線部）が合った場合、図９に示すエッヂ発生回路３４の出力は、図１０（ｂ）に示すように、上下１ラインにエッジが付加される。
【０００８】
具体的には、図９に示す構成ではエッヂ発生回路３４として、１Ｈの遅延を有するものとしているので、端子３６にｎライン目の信号が入力されている状態では、１Ｈ遅延回路３７の出力は（ｎ−１）ライン目であり、１Ｈ遅延回路３８の出力は（ｎ−２）ライン目である。よって、最大値選択器３９の出力である（ｎ−１）ライン目の信号は、端子３６からの信号が選択されて、キー信号と同じ信号となる。
【０００９】
同様に、端子３６に（ｎ＋１）ライン目が入力されている場合は、（ｎ＋１），ｎ，（ｎ−１）ラインの中から選択され、端子３６に（ｎ＋２）ライン目が入力されている場合は、（ｎ＋２），（ｎ＋１），ｎラインの中から選択される。
【００１０】
より実際的なエッヂ発生回路３４の構成例を図１１に示す。
この図１１に示したものは、上下４ラインのエッヂが付加できるもので、端子４１からのキー信号が入力され、１フィールド分の記憶容量を有する１フィールドＦＩＦＯメモリを介して１Ｈ遅延回路４３〜５０で順次遅延され、９ライン分の信号が得られる。
【００１１】
この回路では、基準とするラインを１Ｈ遅延回路４６の出力としており、１フィールドＦＩＦＯメモリ４２の出力から見て４Ｈの遅延が生じる。エッジを付けたキー信号は、映像信号と重畳する（スーパー処理する）ため、タイミングを合わせる必要がある。そのため、４Ｈの遅延を含めて１フィールド期間の遅延となるように、１フィールドＦＩＦＯメモリで調整している。
【００１２】
１フィールドＦＩＦＯメモリ４２，１Ｈ遅延回路４３〜４５および１Ｈ遅延回路４７〜５０の出力は、各々乗算器５１〜５８で係数α１〜α８と乗算される。乗算器５１〜５８および１Ｈ遅延回路４６の出力は最大値選択回路５９に入力され、９ライン分の信号の中から最大振幅の信号が選択されて、エッヂが付加されたキー信号として端子６１から出力される。
【００１３】
なお、最大値選択器５９には、制御信号が端子６０から入力される。これは、エッヂの付け方を制御するもので、付加する本数や、上下、上のみ、下のみ、あるいはエッヂを付けないなどの制御を行う。すなわち、９ライン分の信号から選択すれば、キー信号の上下に４本のエッヂが付加され、１Ｈ遅延回路４６〜５０から選択すればキー信号の下に４本のエッヂが付加される。
【００１４】
また、乗算器５１〜５８に与える係数α１〜α８は、エッヂの付け方を制御するもので、例えば、α１＝０．２，α２＝０．４，α３＝０．６，α４＝０．８，α５＝０．８，α６＝０．６，α７＝０．４，α８＝０．２とすると、図１２（ａ）に示すように、キー信号の前後（上下）に付くエッヂが段階的に変化するいわゆるソフトエッヂ処理となる。また、α１〜α８が全て１の場合は、図１２（ｂ）に示すように、キー信号の前後に付くエッヂが全て同じレベルのいわゆるハードエッヂ処理となる。
【００１５】
【発明が解決しようとする課題】
このような従来のエッヂキー発生装置は、ＮＴＳＣ映像信号のような飛び越し走査（インターレース走査）の映像信号に対してのエッヂ生成を目的としていたので、図１０に示すように、次のフィールドにキー信号がなくてエッヂ間にすき間ができても問題としていなかった。
【００１６】
しかしながら、最近、順次走査（プログレッシブ走査）の映像信号でのテレビジョン放送を実用化するための開発が行われており、このプログレッシブ走査の映像信号は従来の１フィールド内に１フレームの画像を伝送するので、水平走査線数が、例えば２倍となる。
【００１７】
そのため、伝送帯域を削減するためにスタジオなどでは、プログレッシブ映像信号を２系統に分離する伝送方法が用いられる場合がある。
図１３は、プログレッシブ映像信号を２系統に分離して伝送する場合の分離方法を示した図である。同図において、あるフレーム（例えば、１フレームは、３０分の１秒）を水平走査線毎に、リンクＡとリンクＢ（メインとサブ）に２分割する。１フレームが５２５本の水平走査線とすると、次のフレームでは、リンクＡとリンクＢの画面上の位置が反対になる。よって、リンクＡの信号またはリンクＢの信号のみをみればインターレース映像信号と同じになり、従来のインターレース映像信号用の機器を用いることができる。
【００１８】
このような、リンクＡまたはリンクＢの各々に対して、従来と同じエッヂキー発生装置を適用した場合、同じフレームの中の信号でありながら、エッヂのすき間が明確に認識され、縞模様のエッヂとなってしまうという問題がある。
【００１９】
例えば、図１０に示したものをプログレッシブ映像信号と仮定すると、ラインｎやライン（ｎ＋１）がリンクＡの信号で、その間のラインが同一フレームでのリンクＢの信号となる。よって、ラインＡ、ラインＢの信号をそれぞれインターレース用のエッヂキー発生装置でエッヂを付加した後に、多重すると、図１０（ｂ）のような、縞模様のエッヂとなってしまう。
【００２０】
本発明は、映像信号が分離されたプログレッシブ走査であっても、エッヂが縞模様にならないエッヂキー発生方法およびエッヂキー発生装置を提供することを目的とする。
【００２１】
【課題を解決するための手段】
この課題を解決するために本発明は、分離されたプログレッシブ映像信号に対して、双方の信号の状態に応じた適切なプリエッヂ処理を施し、プリエッヂ処理の後の分離されたプログレッシブ映像信号に、それぞれ従来の同様のエッヂ発生処理を施すものである。
【００２２】
これにより、従来のエッヂキー発生装置を用いても、プログレッシブ映像信号において、不都合が生じないエッヂキー発生方法およびエッヂキー発生装置が得られる。
【００２３】
【発明の実施の形態】
本発明の請求項１記載のエッヂキー発生方法は、水平走査信号の繰り返しで構成された画像における所定の画像領域の境界を表すキー信号を、複数の信号にライン分離してそれぞれ異なる系統のキー信号とし、前記異なる系統のキー信号の各々に対して、前記キー信号が存在する水平走査線と同じ位置にある水平走査線の上あるいは下、もしくは上下の水平走査線に、前記キー信号と同等のキー信号を発生させるプリエッヂ処理と、前記プリエッヂ処理の後に、前記異なる系統のキー信号の各々に対して独立に同一のエッヂ付加処理を行うことを特徴とする。
【００２４】
本発明の請求項２記載のエッヂキー発生方法は、請求項１において、プログレッシブ映像信号に対するエッジキー発生方法であって、２系統のインターレース信号にライン分離されたプログレッシブ映像信号のキー信号に対して、前記キー信号におけるプリエッヂを付加する位置に応じてプリエッヂ処理し、各々独立に同一のエッヂ付加処理を行い、前記２系統のインターレース信号を１系統の信号に多重化して、エッヂが付加されたプログレッシブ映像信号のキー信号を得ることを特徴とする。
【００２５】
本発明の請求項３記載のエッヂキー発生方法は、請求項２において、プリエッヂ処理前のキー信号と、エッヂ付加処理後の異なる系統のキー信号を１系統に多重化したキー信号とを合成することを特徴とする。
【００２６】
上記のエッヂキー発生方法を実現するエッヂキー発生装置は、具体的には、水平走査信号の繰り返しで構成された画像における所定の画像領域の境界を表すキー信号を、複数の信号にライン分離してそれぞれ異なる系統のキー信号とし、前記異なる系統のキー信号の各々に対して、前記キー信号が存在する水平走査線と同じ位置にある水平走査線の上あるいは下、もしくは、上下の水平走査線に、前記キー信号と同等のキー信号を発生させるプリエッヂ処理回路と、前記プリエッヂ処理回路が出力する異なる系統のキー信号の各々に対して同一のエッヂ付加処理を行う複数のエッヂ発生回路とを備えることを特徴とする。
また、２系統のインターレース信号にライン分離されたプログレッシブ映像信号のキー信号の一方の信号と他方の信号に対して、前記キー信号におけるプリエッヂを付加する位置に応じてプリエッヂ処理するプリエッヂ処理回路と、前記プリエッヂ処理回路でプリエッヂ処理された前記一方の信号にエッヂ付加処理を行う第１のエッヂ発生回路と、前記プリエッヂ処理回路でプリエッヂ処理された前記他方の信号に前記第１のエッヂ発生回路と同一のエッヂ付加処理を行う第２のエッヂ発生回路と、前記第１のエッヂ発生回路から出力された信号と前記第２のエッヂ発生回路から出力された信号を１系統の信号に多重化してエッヂが付加されたプログレッシブ映像信号を得るライン多重回路とを備えることを特徴とする  また、プリエッヂ処理前のキー信号と、エッヂ付加処理後の異なる系統のキー信号を１系統に多重化したキー信号とを合成する合成回路を備えたことを特徴とする。
【００２７】
以下、本発明のエッヂキー発生方法を、具体的な各実施の形態に基づいて説明する。
（実施の形態１）
図１は本発明のエッヂキー発生装置の（実施の形態１）を示す。
【００２８】
図１において、１はキー信号をスーパーするプログレッシブ映像信号が入力される入力端子、２は入力端子１からの信号をＹ／Ｃ分離するＹ／Ｃ分離回路、３はＹ／Ｃ分離回路２の出力に基づきキー信号を発生するキー信号発生回路、４はキー信号発生回路３からのキー信号をフィルタリングして高調波成分を除去するフィルタ、５はフィルタ４の出力のキー信号（プログレッシブ映像信号）をリンクＡとリンクＢの２つの信号に水平走査線毎に分離するライン分離回路、６は分離されたキー信号にエッヂを付加するプログレッシブ映像信号エッヂ発生回路、７はエッヂが付加された２系統のキー信号を多重化するライン多重回路、８はエッヂが付加されたキー信号を出力する出力端子である。
【００２９】
フィルタ４までは、扱う信号がプログレッシブ映像信号ということで、動作は従来のものとほぼ同等であるので、本実施の形態で特徴とするプログレッシブ映像信号エッヂ発生回路６について、以下詳細に説明する。
【００３０】
図２はプログレッシブ映像信号エッヂ発生回路６の構成を示す。プログレッシブ映像信号エッヂ発生回路６は、プリエッヂ処理回路１１と、２つのエッヂ発生回路１８，１９とから成る。
【００３１】
プリエッヂ処理回路１１は、１水平ライン時間の遅延を行うライン遅延回路１２，１３，１４と、３ライン分の入力信号から最大値を有する信号を選択する最大値選択器１５，１６とから成る。
【００３２】
図２において、端子９からリンクＡの信号、端子１０からリンクＢの信号が入力される。リンクＡの信号（信号Ａ０）は、最大値選択器１６へ入力されるとともに、ライン遅延回路１２を介して（信号Ａ１として）最大値選択器１５，１６へ入力される。また、リンクＢの信号は、ライン遅延回路１３を介した後（信号Ｂ１として）、最大値選択器１５，１６へ入力されるとともに、ライン遅延回路１４を介して（信号Ｂ２として）、最大値選択器１５へ入力される。
【００３３】
そして、最大値選択器１５，１６の出力は、それぞれプリエッヂ処理されたリンクＡ、リンクＢの信号としてエッヂ発生回路１８，１９へ入力されて、エッジが付加される。
【００３４】
このエッヂ発生回路１８，１９は、インターレース信号用のものをそのまま用いることができ、例えば、図１１に示したようなものである。
図２に示す端子１７からは制御信号が入力され、エッヂを付加しない時のプリエッヂ処理のオフ、キー信号の上にエッヂを付加する時の上エッヂ処理、キー信号の下にエッヂを付加する時の下エッヂ処理、キー信号の上下にエッヂを付加する時の上下エッヂ処理が行えるよう構成されている。すなわち、最大値選択器１５，１６は、制御信号によって以下の４通りの動作を行う。
【００３５】
（１）  プリエッヂ処理オフの時（エッヂの付加処理を行わないとき）は、最大値選択器１５は常に信号Ａ１を選択し、最大値選択器１６は常に信号Ｂ１を選択する。
【００３６】
（２）  上エッヂ処理の時は、最大値選択器１５は信号Ａ１と信号Ｂ１とから選択し、最大選択器１６は信号Ｂ１と信号Ａ０とから選択する。
（３）  下エッヂ処理の時は、最大値選択器１５は信号Ａ１と信号Ｂ２とから選択し、最大値選択器１６は信号Ｂ１と信号Ａ１とから選択する。
【００３７】
（４）  上下エッヂ処理の場合は、最大値選択器１５は、信号Ａ１，Ｂ１，Ｂ２のから選択し、最大値選択器１６は信号Ａ０，Ａ１，Ｂ１から選択する。
図３を用いて、キー信号の下に２本のエッヂを付加する（２つのエッヂ発生回路１８，１９でそれぞれ２本を付加する）場合を説明する。
【００３８】
図３（ａ）において、あるラインｋにキー信号があるとする。ラインｋがリンクＡの信号とすると、最大値選択器１５からの出力は、ライン遅延回路１２の出力（すなわち、信号Ａ１）がラインｋのタイミングのときのみ、キー信号が選択され、最大値選択器１６も信号Ａ１がラインｋのタイミングのときのみ、キー信号が選択される。
【００３９】
その結果、図３（ｂ）のように、リンクＢ側のライン（ｋ＋１）にプリエッヂが付加される。そして、ラインｋおよびライン（ｋ＋１）でのキー信号に基づいて、それぞれの系で２本のエッヂが付加されて、図３（ｃ）に示すようになる。
【００４０】
また、ラインｋがリンクＢの信号とすると、最大値選択器１５からの出力は、信号Ｂ２がラインｋのタイミングのときのみキー信号が選択され、最大値選択器１６は信号Ｂ１がラインｋのタイミングのときのみキー信号が選択される。その結果、図３（ｂ）のように、リンクＡ側のライン（ｋ＋１）にプリエッヂが付加される。そして、ラインｋおよびライン（ｋ＋１）でのキー信号に基づいて、それぞれの系で２本のエッヂが付加されて、図３（ｃ）に示すようになる。
【００４１】
次に、図４を用いて、キー信号の上に２本のエッヂを付加する場合を説明する。
図４（ａ）において、あるラインｋにキー信号があるとする。ラインｋがリンクＡの信号とすると、最大値選択器１５からの出力は、信号Ａ１がラインｋのタイミングのときのみキー信号が選択され、最大値選択器１６は信号Ａ０がラインｋのタイミングのときのみキー信号が選択される。その結果、図４（ｂ）のように、リンクＢ側のライン（ｋ−１）にプリエッヂが付加される。
【００４２】
そして、ライン（ｋ−１）およびラインｋでのキー信号に基づいて、それぞれの系で２本のエッヂが付加されて、図４（ｃ）に示すようになる。
また、ラインｋがリンクＢの信号とすると、最大値選択器１５からの出力は、信号Ｂ１がラインｋのタイミングのときのみキー信号が選択され、最大値選択器１６も信号Ｂ１がラインｋのタイミングのときのみキー信号が選択される。その結果、図４（ｂ）のように、リンクＡ側のライン（ｋ−１）にプリエッヂが付加される。そして、ライン（ｋ−１）およびラインｋでのキー信号に基づいて、それぞれの系でエッヂが付加され、図４（ｃ）に示すようになる。
【００４３】
次に、図５を用いて、キー信号の上下に２本のエッヂを付加する場合を説明する。
図５（ａ）において、あるラインｋにキー信号があるとする。ラインｋがリンクＡの信号とすると、最大値選択器１５の出力は、信号Ａ１がラインｋのタイミングのときのみキー信号が選択され、最大値選択器１６は信号Ａ０または信号Ａ１がラインｋのタイミングのときにキー信号が選択される。その結果、図５（ｂ）のように、リンクＢ側のライン（ｋ−１）および（ｋ＋１）にプリエッヂが付加される。そして、ライン（ｋ−１），ｋ，（ｋ＋１）でのキー信号に基づいて、それぞれの系で２本のエッヂが付加されて、図５（ｃ）に示すようになる。
【００４４】
また、ラインｋがリンクＢの信号とすると、最大値選択器１５の出力は、信号Ｂ１または信号Ｂ２がラインｋのタイミングのときにキー信号が選択され、最大値選択器１６は信号Ｂ１がラインｋのタイミングのときのみキー信号が選択される。その結果、図５（ｂ）のように、リンクＡ側のライン（ｋ−１）および（ｋ＋１）にプリエッヂが付加される。そして、ライン（ｋ−１），ｋ，（ｋ＋１）でのキー信号に基づいて、それぞれの系で上下２本のエッヂが付加されて、図５（ｃ）に示すようになる。
【００４５】
このように、本実施の形態によれば、プログレッシブ映像信号の場合でも、ライン分離した後に、プリエッヂ処理を施すことにより、その後のエッヂ発生回路をインターレース信号と同様のものが使用でき、プログレッシブ映像信号による不都合が何ら生じることがない。
【００４６】
（実施の形態２）
図６は、本発明の（実施の形態２）によるエッヂキー発生装置を示す。
（実施の形態２）は（実施の形態１）に対して、フィールド遅延回路２２、ライン多重回路２３および合成回路２４を付加したものである。２５は合成回路２４の出力端子である。よって、実施の形態１と異なる点についてのみ説明する。
【００４７】
（実施の形態２）はオリジナルのキー信号と付加したエッヂとをそれぞれ独立に扱うことを目的にしたものである。すなわち、エッヂを付加した信号から、キー信号のみを抜いたり、キー信号の部分に元の映像信号をはめ込むなどの処理が可能になる。
【００４８】
図６において、２２はライン分離回路５からのラインＡ，ラインＢの信号をそれぞれ１フィールド期間遅延するフィールド遅延回路、２３はフィールド遅延回路２２の出力の遅延されたラインＡ，ラインＢの信号を再び多重して元のプログレッシブ映像信号にするライン多重回路、２４はライン多重回路７，２３の出力を所望の方法で合成する合成回路である。
【００４９】
図７は図６の構成の動作を示す。
この図７では、あるラインｋにキー信号があり、その信号に基づいて付加したエッヂ信号から、もとのキー信号を抜く場合を示している。
【００５０】
図７（ａ）は、ライン分離回路５からのキー信号で、今、ラインｋにキー信号を発生させている。ただし、同図は、説明のため、ラインＡ，ラインＢを一緒に表現している。図７（ａ）のような信号は、プログレッシブ映像信号エッヂ発生回路６で、ライン（ｋ−１），（ｋ＋１）にプリエッヂが付加された後、上下に各系統で２本（合計４本）のエッヂが付加され、ライン多重回路７の出力は、図７（ｂ）のようになる。そして、図７（ａ）に示したキー信号は、フィールド遅延回路２２、ライン多重回路２３を介して、合成回路２４で、元のキー信号を抜く。その結果、図７（ｃ）に示すように、プリエッヂとエッヂとから成る信号を得ることができる。
【００５１】
このように本実施の形態によれば、元のキー信号をエッヂ信号と独立に扱うことができるので、プリエッヂ処理による不具合を生じることなく、プログレッシブ映像信号に対するエッヂ発生処理を、インターレース映像信号のエッヂ発生回路を並列に用いて実現することができる。
【００５２】
【発明の効果】
以上のように本発明のエッヂキー発生方法は、水平走査信号の繰り返しで構成された画像における所定の画像領域の境界を表すキー信号を、複数の信号にライン分離してそれぞれ異なる系統のキー信号とし、前記異なる系統のキー信号の各々に対して、前記キー信号が存在する水平走査線と同じ位置にある水平走査線の上あるいは下、もしくは上下の水平走査線に、前記キー信号と同等のキー信号を発生させるプリエッヂ処理と、
前記プリエッヂ処理の後に、前記異なる系統のキー信号の各々に対して独立に同一のエッヂ付加処理を行うことを特徴とし、プログレッシブ映像信号をライン分離して、インターレース映像信号と同様のエッヂ発生回路を並列に用いても、プリエッヂ処理を施すことで、映像信号が分離されたプログレッシブ走査であっても、エッヂが縞模様にならないエッヂキーの発生を実現できる。
【図面の簡単な説明】
【図１】本発明の実施の形態１によるエッヂキー発生装置の構成図
【図２】同エッヂキー発生装置のプログレッシブ映像信号エッヂ発生回路の構成図
【図３】同エッヂキー発生装置の動作を示す映像信号の概念図
【図４】同エッヂキー発生装置の動作を示す映像信号の概念図
【図５】同エッヂキー発生装置の動作を示す映像信号の概念図
【図６】本発明の実施の形態２によるエッヂキー発生装置の構成を示すブロック図
【図７】同エッヂキー発生装置の動作を示す映像信号の概念図
【図８】従来のエッヂキー発生装置の構成を示すブロック図
【図９】同エッヂキー発生装置のエッヂ発生回路の構成図
【図１０】同エッヂキー発生装置の動作を示す映像信号の概念図
【図１１】同エッヂキー発生装置のエッヂ発生回路の他の構成図
【図１２】同エッヂキー発生装置の動作を示す映像信号の概念図
【図１３】プログレッシブ映像信号を２系統に分離して伝送する場合の分離方法の説明図
【符号の説明】
２    Ｙ／Ｃ分離回路
３    キー信号発生回路
４    フィルタ
５    ライン分離回路
６    プログレッシブ映像信号エッヂ発生回路
７，２３    ライン多重回路
１１    プリエッヂ処理回路
１２〜１４    ライン遅延回路
１５，１６    最大値選択器
１８，１９    エッヂ発生回路
２２    フィールド遅延回路
２４    合成回路
【図１】
0003558497.tif 000002
【図２】
0003558497.tif 000003
【図３】
0003558497.tif 000004
【図４】
0003558497.tif 000005
【図５】
0003558497.tif 000006
【図６】
0003558497.tif 000007
【図７】
0003558497.tif 000008
【図８】
0003558497.tif 000009
【図９】
0003558497.tif 000010
【図１０】
0003558497.tif 000011
【図１１】
0003558497.tif 000012
【図１２】
0003558497.tif 000013
【図１３】
0003558497.tif 000014